(57)【特許請求の範囲】
【請求項１】
利用者が入力した情報を第１の信号に変換して出力する入力手段と、
この出力された第１の信号を受信するとともに、この第１の信号に上記入力手段を特定する情報を付加した第２の信号を出力する入力情報付加手段と、
上記利用者が入力した情報および上記入力手段を特定するための情報と、表示の制御に関する情報とを対応づける表示制御テーブルを記憶する表示制御テーブル記憶手段と、
上記出力された第２の信号を受信するとともに、上記表示制御テーブルをもとに表示を制御する第３の信号を出力する表示制御信号生成手段と、
ネットワークで他の機器と接続されたデータ通信手段を介して、他の機器からデータが入力され、上記第３の信号に基づき、上記入力されたデータの表示処理を行って第１の表示信号を出力する表示処理手段と、
上記入力手段を特定するための情報および上記第１の表示信号と、表示の拡大縮小に関する情報とを対応づける表示変換テーブルを記憶する表示変換テーブル記憶手段と、
上記出力された第２の信号を受信するとともに、この第２の信号より得られる上記入力手段を特定するための情報、上記第１の表示信号および上記表示変換テーブルに基づき第２の表示信号を出力する表示信号変換手段と、
この第２の表示信号を受信して画面表示を行う画面表示手段と
を含む情報表示装置。
【請求項２】
利用者が入力した情報を第１の信号に変換して出力する第１の入力手段と、
この出力された第１の信号を受信するとともに、この第１の信号に上記第１の入力手段を特定する情報と優先順位に関する情報を付加した第２の信号を出力する第１の入力情報付加手段と、
利用者が入力した情報を第３の信号に変換して出力する第２の入力手段と、
この出力された第３の信号を受信するとともに、この第３の信号に上記第２の入力手段を特定する情報と優先順位に関する情報を付加した第４の信号を出力する第２の入力情報付加手段と、
上記第１の入力手段で利用者が入力した情報、上記第２の入力手段で利用者が入力した情報、上記第１の入力手段を特定する情報、および上記第２の入力手段を特定する情報と、表示の制御に関する情報とを対応づける表示制御テーブルを記憶する表示制御テーブル記憶手段と、
上記出力された第２および／または第４の信号を受信するとともに、これら第２の信号および第４の信号に付加された優先順位に関する情報をもとに、第２および／または第４の信号を順次に出力する優先処理手段と、
これら優先処理手段から出力された第２または第４の信号を受信するとともに、上記表示制御テーブルをもとに表示を制御する第５の信号を出力する表示制御信号生成手段と、
上記第５の信号に基づき表示処理を行い表示信号を出力する表示処理手段と、
この表示信号を受信して画面表示を行う画面表示手段と
を含む情報表示装置。
【請求項３】
上記表示制御テーブルを変更するための変更画面を上記表示処理手段に送信し、上記画面表示手段にて画面表示を行い、その画面指示に従って利用者が入力した情報に基づき、上記表示制御テーブルを変更するテーブル変更手段を備えたことを特徴とする請求項１又は２に記載の情報表示装置。
【請求項４】
上記表示変換テーブルを変更するための変更画面を上記表示処理手段に送信し、上記画面表示手段にて画面表示を行い、その画面指示に従って利用者が入力した情報に基づき、上記表示変換テーブルを変更する表示変換テーブル変更手段を備えたことを特徴とする請求項１に記載の情報表示装置。
【請求項５】
利用者が入力手段を特定する情報を変更する入力情報変更手段を有することを特徴とする請求項１乃至４のいずれか１項に記載の情報表示装置。
【請求項６】
利用者が優先順位に関する情報を変更する優先情報変更手段を有することを特徴とする請求項２に記載の情報表示装置。
【発明の詳細な説明】
【０００１】
【発明の属する技術分野】
この発明は、ＨＴＭＬ（Hyper Text Markup Language）などを解釈し、表示を行うブラウザ、およびこれに類する情報表示装置に関する。
【０００２】
【従来の技術】
ＷＷＷ（World Wide Web）ブラウザなどの情報表示端末は、現在パーソナルコンピュータ（以下、「ＰＣ」という）を主体に利用が進んでおり、テレビ装置にＷＷＷブラウザ機能を付与された製品等も発売されている。
【０００３】
一般的なＷＷＷブラウザは、ネットワークで接続されたＷＷＷサーバー上などにあるホームページを閲覧することが可能であり、ＷＷＷブラウザにより表示されるファイルは一般に、ＨＴＭＬと呼ばれる比較的単純な言語で記述されており、ホームページの作成または更新を容易に行うことができる。
【０００４】
また、ＨＴＭＬファイルの特徴として、ＨＴＭＬファイル内に別のＨＴＭＬファイルに対してリンクを設定することができることが挙げられる。一般的なＷＷＷブラウザの場合、例えば、画面に表示されたＨＴＭＬファイルのリンク部を利用者が選択して実行する（選択して実行することを、以下、「クリック」という）と、リンクされた次のページに表示が移行する処理が行われ、比較的簡単な操作で、さまざまなホームページを閲覧することができる。また、ＷＷＷブラウザでは利用者がキーボードなどで入力する文字などのデータをホームページに送信することが可能であり、ＷＷＷブラウザを利用している利用者からホームページの制作者等にメッセージなどを送信することができる。
【０００５】
次に、入力装置について考えた場合、ＷＷＷブラウザで様々なホームページを閲覧する場合には、画面のスクロールやリンク部をクリックするなどの操作項目を少なくできるので、必要な操作ボタンを少なく設定できる。また、操作ボタンが少ない入力装置でメッセージなどを作成する場合には、キーボードなどの専用の入力装置に比べて入力が困難であるので、操作ボタンの少ないリモートコントローラと、キーボードを併用している。
【０００６】
ところが、キーボードのように操作するキーが多数ある入力装置では、操作方法が利用者に十分伝わらない場合は、利用者にとっては扱いにくい装置になってしまうことが多く、広く一般の人々が活用できるように、年齢または、使用経験に適した入力装置を備える必要がある。
【０００７】
また、入力装置とＷＷＷブラウザの機能について考えた場合、入力装置と、ＷＷＷブラウザの機能が連動する情報表示装置は開発されていない。ＰＣを活用することによって、入力装置自体を変更したとき、その入力装置に対応した機能にＷＷＷブラウザを変更することは可能であるが、利用者が入力装置を変更したい場合、利用者自身でＷＷＷブラウザの機能を変更しなければならなかった。更に、ＰＣは一般に高価であり、かつ、ＷＷＷブラウザ以外の操作は扱いが必ずしも容易ではないため、広く一般の人々が活用できる状況にはない。
【０００８】
【発明が解決しようとする課題】
上記のように、従来の情報表示装置では、操作方法が利用者に十分に伝わらない場合にかえって使いにくい装置になるという問題があった。また入力装置と情報表示機能が連動しないため、広く一般の人々が活用できるように様々な利用者向けの入力装置と情報表示機能があっても、利用者が入力装置と情報表示機能とを対応させなければならず、かえって使いにくい装置になるという問題があった。
【０００９】
この発明は以上のような課題を解決するためになされたもので、第１の目的は、利用者が入力装置を選択して入力するだけで、その入力装置に対応した処理を行う情報表示装置を得るものである。
【００１０】
また、第２の目的は、入力装置に対応した処理を利用者が変更できる情報表示装置を得るものである。
【００１１】
また、第３の目的は、利用者が入力装置を選択して入力するだけで、利用者に適した表示サイズで情報表示を行う情報表示装置を得るものである。
【００１２】
また、第４の目的は、表示サイズを利用者が変更できる情報表示装置を得るものである。
【００１３】
また、第５の目的は、複数の入力装置からの情報を効率よくまとめ、情報表示処理負担を低減した情報表示装置を得るものである。
【００１４】
また、第６の目的は、複数の入力装置からの情報の処理を利用者が変更できるようにした情報表示装置を得るものである。
【００１５】
また、第７の目的は、入力装置の設定を変更することで、付加される機能を変更できる情報表示装置を得るものである。
【００１６】
また、第８の目的は、複数の入力装置から入力される情報に順序を設定し、それら入力装置から同時に入力された場合に順序にしたがって処理を行い、情報表示の誤動作を防止した情報表示装置を得るものである。
【００１７】
さらにまた、第９の目的は、複数の入力装置から入力される情報に設定された順序を利用者が変更できるようにした情報表示装置を得るものである。
【００１８】
【課題を解決するための手段】
この発明に係る情報表示装置においては、利用者が入力した情報を第１の信号に変換して出力する入力手段と、この出力された第１の信号を受信するとともに、この第１の信号に上記入力手段を特定する情報を付加した第２の信号を出力する入力情報付加手段と、上記利用者が入力した情報、上記入力手段を特定するための情報および表示の制御に関する情報を対応づける表示制御テーブルを記憶する表示制御テーブル記憶手段と、上記出力された第２の信号を受信するとともに、上記表示制御テーブルをもとに表示を制御する第３の信号を出力する表示制御信号生成手段と、上記第３の信号にもとづき表示処理を行って表示信号を出力する表示処理手段と、この表示信号を受信して画面表示を行う画面表示手段とを備えたものである。
【００１９】
また、表示制御テーブルを変更するテーブル変更手段を備えたものである。
【００２０】
また、利用者が入力した情報を第１の信号に変換して出力する入力手段と、この出力された第１の信号を受信するとともに、この第１の信号に上記入力手段を特定する情報を付加した第２の信号を出力する入力情報付加手段と、上記利用者が入力した情報、上記入力手段を特定するための情報および表示の制御に関する情報を対応づける表示制御テーブルを記憶する表示制御テーブル記憶手段と、上記出力された第２の信号を受信するとともに、上記表示制御テーブルをもとに表示を制御する第３の信号を出力する表示制御信号生成手段と、上記第３の信号にもとづき表示処理を行って第１の表示信号を出力する表示処理手段と、上記入力手段を特定するための情報、上記第１の表示信号および第２の表示信号を対応づける表示変換テーブルを記憶する表示変換テーブル記憶手段と、上記出力された第２の信号および第１の表示信号を受信するとともに、この第２の信号より得られる上記入力手段を特定するための情報、上記第１の表示信号および上記表示変換テーブルにもとづき第２の表示信号を出力する表示信号変換手段と、この第２の表示信号を受信して画面表示を行う画面表示手段とを備えたものである。
【００２１】
また、表示変換テーブルを変更する表示変換テーブル変更手段を備えたものである。
【００２２】
また、利用者が入力した情報を第１の信号に変換して出力する第１の入力手段と、この出力された第１の信号を受信するとともに、この第１の信号に上記第１の入力手段を特定する情報を付加した第２の信号を出力する第１の入力情報付加手段と、利用者が入力した情報を第３の信号に変換して出力する第２の入力手段と、この出力された第３の信号を受信するとともに、この第３の信号に上記第２の入力手段を特定する情報を付加した第４の信号を出力する第２の入力情報付加手段と、上記第１の入力手段で利用者が入力した情報、上記第２の入力手段で利用者が入力した情報、上記第１の入力手段を特定する情報、上記第２の入力手段を特定する情報および表示の制御に関する情報を対応づける表示制御テーブルを記憶する表示制御テーブル記憶手段と、上記出力された第２および第４の信号を受信するとともに、上記表示制御テーブルをもとに表示を制御する第５の信号を出力する表示制御信号生成手段と、上記第５の信号にもとづき表示処理を行って表示信号を出力する表示処理手段と、この表示信号を受信して画面表示を行う画面表示手段とを備えたものである。
【００２３】
また、表示制御テーブルを変更する表示制御テーブル変更手段を備えたものである。
【００２４】
また、利用者が入力手段を特定する情報を変更する入力情報変更手段を備えたものである。
【００２５】
また、利用者が入力した情報を第１の信号に変換して出力する第１の入力手段と、この出力された第１の信号を受信するとともに、この第１の信号に上記第１の入力手段を特定する情報と優先順位に関する情報を付加した第２の信号を出力する第１の入力情報付加手段と、利用者が入力した情報を第３の信号に変換して出力する第２の入力手段と、この出力された第３の信号を受信するとともに、この第３の信号に上記第２の入力手段を特定する情報と優先順位に関する情報を付加した第４の信号を出力する第２の入力情報付加手段と、上記第１の入力手段で利用者が入力した情報、上記第２の入力手段で利用者が入力した情報および表示の制御に関する情報を対応づける表示制御テーブルを記憶する表示制御テーブル記憶手段と、上記出力された第２および／または第４の信号を受信するとともに、これら第２の信号および第４の信号に付加された優先順位に関する情報をもとに、第２および／または第４の信号を順次に出力する優先処理手段と、これら優先処理手段から出力された第２または第４の信号を受信するとともに、上記表示制御テーブルをもとに表示を制御する第５の信号を出力する表示制御信号生成手段と、上記第５の信号にもとづき表示処理を行い表示信号を出力する表示処理手段と、この表示信号を受信して画面表示を行う画面表示手段とを備えたものである。
【００２６】
さらにまた、利用者が優先順位に関する情報を変更する優先情報変更手段を備えたものである。
【００２７】
【発明の実施の形態】
以下、この発明をその実施の形態を示す図面に基づいて具体的に説明する。
実施の形態１．
図１はこの発明の実施の形態１である情報表示装置の概略構成図である。図において、１０９はインターネット網、１１０はホームページなど表示内容がデータとして保存され、そのデータの配信を行うＷＷＷサーバーである。１０７はＷＷＷサーバー１１０からのインターネット網１０９を経由してデータを取得、またはブラウザデータ処理手段１０５の要求にもとづきインターネット網上のＷＷＷサーバー１１０などにデータを出力するデータ通信手段である。
【００２８】
１０１は、利用者が入力を行い、信号１０１Ａを出力する入力手段としてのキーボード、１０２は入力情報付加手段であるキーボード入力情報付加手段で、キーボード１０１が出力した信号１０１Ａに、キーボード１０１を特定する情報を付加して信号１０２Ａを出力する。１０３０は表示制御テーブル記憶手段で、キーボード１０１において利用者が入力した情報と、キーボード入力情報付加手段１０２で付加されたキーボード１０１を特定する情報と、表示の制御に関する情報を対応づける表示制御テーブルを記憶している。１０３は表示制御信号生成手段で、キーボード入力情報付加手段１０３が出力した信号１０２Ａを受信して、その信号１０２Ａに含まれるキーボード１０１において利用者が入力した情報と、キーボード入力情報付加手段１０２で付加されたキーボード１０１を特定する情報と、表示制御テーブル記憶手段１０３０に記憶されたテーブルを用いて、ブラウザ制御手段１０４に表示制御信号１０３Ａを出力する。
【００２９】
１００は表示処理手段としてのＷＷＷブラウザ表示処理手段で、１０７から入力されるデータを、表示制御信号生成手段１０３より出力される表示制御信号１０３Ａにもとづき、画像表示装置１０８に出力する表示信号１００Ａを生成するもので、以下の手段で構成される。
【００３０】
１０４は、ブラウザ制御手段で、利用者が入力した情報と入力装置を特定する情報をもとに作られた表示制御信号１０３Ａと、ブラウザデータ処理手段１０５から出力される情報をもとに、ブラウザデータ処理手段１０５およびブラウザ画面処理手段１０６を制御する。１０５はブラウザデータ処理手段で、ブラウザ制御手段１０４の制御にもとづき、データ通信手段１０７からデータを受信し、ブラウザ用のデータを解析し、また、このブラウザデータをＷＷＷサーバー１１０から取得するようにデータ通信手段１０７に要求を出力する。１０６はブラウザ画面処理手段で、ブラウザデータ処理手段１０５によって処理されたブラウザデータを、ブラウザ制御手段１０４の制御にもとづいて画像表示装置１０８に表示信号１００Ａを出力する。１０８はモニタやテレビなどの画像表示装置である。
【００３１】
図２（ａ）はＷＷＷブラウザ画面の表示例である。画面の上部は状態表示領域１２１、画面の下部は主表示領域１２２である。主表示領域１２２の画面内容はＨＴＭＬにより記述されており、ＷＷＷサーバー１１０より配信され、インターネット網１０９を経由してデータ通信手段１０７で受信されたＨＴＭＬのデータをブラウザデータ処理手段１０５が解析し、その解析結果をもとにブラウザ画面処理手段１０６により表示信号１００Ａに変換され、画像表示装置１０８の画面に表示される。
【００３２】
また、主表示領域１２２の枠１２３はテキストタイプの入力フィールドであり、利用者はこの入力フィールドを選択し、テキストを入力することができる。“送信する”ボタン１２４をクリックすると、入力フィールド１２３に入力されたテキストがＷＷＷサーバー１１０に送信され、“クリア”ボタン１２５をクリックすると１２３の入力フィールドに入力されたテキストはすべて削除される。これらの機能は、ＷＷＷブラウザの機能により実現されるものである。
【００３３】
次に、図２（ａ）の画面状態で、入力フィールド１２３が選択されており、利用者が入力フィールド１２３に文字を入力する場合の動作について説明する。利用者がキーボード１０１において“ａ”のボタンを押したとする。このときキーボード１０１はボタン“ａ”が入力されたという情報を１６進数の“１Ｃ”に変換し、さらにこのデータをビット列“０００１１１００”に変換して下位ビットから送信する。この送信は電気信号によって行われる。
図３はビット列“０００１１１００”を送信する際の電気信号１０１Ａをあらわす信号波形であり、ＣＬＫはデータ送信の基準となるクロック信号、ＤＡＴＡはビット列“０００１１１００”から作られる信号である。このＤＡＴＡ信号はクロック信号の立ち上がり時に、データ“０”を電圧０Ｖ、データ“１”を電圧５Ｖとなるように、下位ビットから順に変換したもので、クロック信号の立ち上がり時のデータは、順に“００１１１０００”となっている。
【００３４】
キーボード入力情報付加手段１０２は、この電気信号１０１Ａのクロック信号の立ち上がり時のデータ信号の電圧からデータに変換し、ビット列“０００１１１００”を再現する。そして、キーボード１０１を特定する情報として、１６進数の“Ｆ５”、すなわちビット列で“１１１１０１０１”を下位ビットから送信し、続いて再現したビット列“０００１１１００”を下位ビットから送信する。その時の電気信号１０２Ａの信号波形を図４に示す。クロック信号の立ち上がり時のデータはＤＡＴＡの電圧から、順に“１０１０１１１１００１１１０００”となっている。
【００３５】
表示制御信号生成手段１０３は、キーボード入力情報付加手段１０２により送信された電気信号１０２Ａから、データビット列“１１１１０１０１０００１１１００”を取得し、１６進数の“Ｆ５１Ｃ”を得る。そして、この１６進数“Ｆ５１Ｃ”から、キーボード１０１において利用者が入力した情報をあらわす第１データ“Ｆ５”と、キーボード入力情報付加手段１０２で付加されたキーボード１０１を特定する情報を表す第２データ“１Ｃ”に分解する。
【００３６】
図５は表示制御テーブル記憶手段１０３０に記憶されている第１データおよび第２データと、ブラウザ制御手段１０４に与える表示制御信号１０３Ａとの対応を示した表示制御テーブルである。
【００３７】
表示制御信号生成手段１０３は、表示制御テーブル記憶手段１０３０に記憶されている表示制御テーブルを参照し、第１データが“Ｆ５”、第２データが“１Ｃ”である場合、図５の斜線部分の“文字ａ入力”という情報を表示制御信号１０３Ａに変換して出力する。
【００３８】
ブラウザ制御手段１０４は、表示制御信号生成手段１０３から入力された“文字ａ入力”という情報と、ブラウザデータ処理手段１０５で解析された結果にもとづいて、入力フィールド１２３に文字“ａ”を表示させるようブラウザ画面処理手段１０６を制御し、ブラウザ画面処理手段１０６はそれにもとづいて表示信号１００Ａを出力し、画面表示装置１０８は、図２（ｂ）に示すような、入力フィールド１２３に文字“ａ”が入力された画面を表示する。
【００３９】
次に、キーボード１０１およびキーボード入力情報付加手段１０２を切り離し、代わりに、入力できる情報が日本語に限られる日本語キーボードを接続した場合の動作を説明する。
【００４０】
図６は、キーボード１０１およびキーボード入力情報付加手段１０２を切り離した代わりに、日本語キーボード１１１および日本語キーボード入力情報付加手段１１２を接続した場合の概略構成図で、図１と同一符号はそれぞれ同一または相当部分を示している。
【００４１】
図において、１１１Ａは日本語キーボード１１１が出力する信号で、１１２Ａは日本語キーボード入力情報付加手段１１２が出力する信号である。
【００４２】
いま、図２（ａ）の画面状態で、入力フィールド１２３が選択されており、利用者が日本語キーボード１１１において“あ”のボタンを押したとする。このとき日本語キーボード１１１はボタン“あ”が入力されたという情報を１６進数の“１Ｃ”に変換し、前述の電気信号１０１Ａの送信方法と同様にして、電気信号１１１Ａを送信し、日本語キーボード入力情報付加手段１１２は、ビット列“０００１１１００”を再現する。そして、日本語キーボード１１１を特定する情報として、１６進数の“Ｅ５”、すなわちビット列で“１１１００１０１”を付加した信号１１２Ａを送信する。
【００４３】
表示制御信号生成手段１０３は、日本語キーボード入力情報付加手段１１２により送信された電気信号１１２Ａから、１６進数の“Ｅ５１Ｃ”を得る。そして、この１６進数“Ｅ５１Ｃ”を第１データ“Ｅ５”と第２データ“１Ｃ”に分解し、表示制御テーブル記憶手段１０３０に記憶されている表示制御テーブルを参照し、第１データが“Ｅ５”、第２データが“１Ｃ”である場合、“文字あ入力”という情報を表示制御信号１０３Ａに変換して出力する。
【００４４】
ブラウザ制御手段１０４は、表示制御生成手段１０３によって入力された“文字あ入力”という情報と、ブラウザデータ処理手段１０５で解析された結果にもとづいて、入力フィールド１２３に文字“あ”を表示させるようブラウザ画面処理手段１０６を制御し、ブラウザ画面処理手段１０６はそれにもとづいて表示信号１００Ａを出力し、画面表示装置１０８は、図２（ｃ）に示すような、入力フィールド１２３に文字“あ”が入力された画面を表示する。
【００４５】
このように、キーボードなどから入力された情報に入力手段の情報を付加することと、それらの情報に対応した処理を定義することによって、利用者の手を煩わせることなく、入力装置を接続するだけで、その入力装置に対応した処理を行うことが可能な情報表示装置を実現でき、利用者は自らの操作レベルにもっとも適した入力装置を容易に利用できる。
【００４６】
実施の形態２．
図７は、この発明の実施の形態２である情報表示装置の概略構成図で、図１と同一または相当部分には同一符号を付してその説明を省略する。
【００４７】
図７において、ブラウザ制御手段１０４は、ブラウザデータ処理手段１０５で解析された結果と、利用者が入力した情報から、記憶手段１０３０に含まれる表示制御テーブルを変更するよう判断した場合、変更内容を表示制御テーブル変更手段１１３に出力する。表示制御テーブル変更手段１１３は、ブラウザ制御手段１０４から入力された表示制御テーブルの変更要求にしたがって、表示制御テーブル記憶手段１０３０に記憶されている表示制御テーブルを変更する。
【００４８】
図８（ａ）は、利用者によってテーブルを変更したいという要求があった場合に、画像表示装置１０８に表示される画面を示したもので、図２と同一または相当部分には同一符号を付してその説明を省略する。
【００４９】
主表示領域１２２の枠１２６ａ，１２６ｂ，１２６ｃ，１２６ｄ，１２６ｅはテキストタイプの入力フィールドであり、利用者はこの入力フィールドを選択し、Ｆ１からＦ５のキーを押したときに接続されるホームページのアドレスをそれぞれ入力することができる。
【００５０】
“確定”ボタン１２７をクリックすると、Ｆ１からＦ５のキーが１２６ａ，１２６ｂ，１２６ｃ，１２６ｄ，１２６ｅの入力フィールドに入力されたホームページに接続されるように設定され、“初期設定”ボタン１２８をクリックすると初期設定時の接続先になるよう設定され、“キャンセル”ボタン１２９をクリックすると、キー設定を止めることができる。また、図８（ａ）は初期設定時の接続先が設定されているものとする。
【００５１】
図９（ａ）は初期設定時の接続先が設定されているときの表示制御テーブル記憶手段１０３０に含まれる表示制御テーブルを表した図であり、１３１ａの１６進数“３０”は利用者がキーボードのＦ１を押した場合に表示制御信号生成手段１０３に入力されるＦ１キーを押したという情報を表すデータであり、同様に１３１ｂ，１３１ｃはそれぞれＦ２，Ｆ３を押した場合に表示制御信号生成手段１０３に入力されるデータである。また、１３２の１６進数“Ｆ５”はキーボードを特定する情報である。
【００５２】
１３５はＦ１を押した際にブラウザ制御手段１０４に与える処理を表しており、初期設定状態ではＦ１を押した際には“ｈｔｔｐ：／／ｗｗｗ．１１１．ｃｏ．ｊｐ”に接続するようになっている。
【００５３】
次に、利用者がＦ１キーの接続先を変更する際の動作を説明する。
図８（ｂ）中の入力フィールド１２６ａに示すように、Ｆ１を押したときに接続するホームページのアドレスを“ｈｔｔｐ：／／ｗｗｗ．０００．ｃｏ．ｊｐ”と入力し、“確定”ボタン１２７をクリックした場合、ブラウザ処理手段１０４は表示テーブル変更手段１１３に、入力装置を特定する情報が１６進数の“Ｆ５”である入力装置のＦ１のキー設定を“ｈｔｔｐ：／／ｗｗｗ．０００．ｃｏ．ｊｐ”へ接続、という設定に変更するよう情報を通達する。テーブル変更手段１１３は、その情報をもとに表示制御テーブルの入力装置を特定する情報が１６進数“Ｆ５”の入力装置の処理項目をすべてコピーし、新たに表示制御テーブルの入力装置を特定する情報が１６進数“Ｆ５”の入力装置の処理項目を作成する（図９（ｂ）の１３４列）。そしてコピー元は使用不可とするため、１６進数の“Ｆ５”の後ろに＊をつける（図９（ｂ）の１３３列）。さらに表示制御テーブル変換手段１１３は、ブラウザ処理手段１０４からの情報によりＦ１を押したときの処理内容を変更し（図９（ｂ）の１３６）、新しい表示制御テーブルを完成させる。
【００５４】
これ以降、表示制御信号生成手段１０３は図９（ｂ）に示された新しい表示制御テーブルをもとに処理を行う。
また、図８（ｂ）のキー設定画面において、利用者が“初期設定”ボタン１２８をクリックした場合には、表示制御テーブル変更手段１１３は、図９（ｂ）に示す表示制御テーブルの１３４の列を削除し、１３３の列の“Ｆ５＊”を“Ｆ５”に変更してキー設定を初期状態に戻す。
【００５５】
このように、テーブル変更手段１１３を設けることによって利用者が入力装置の設定を自由に行うことができ、利用者にとってより扱いやすく利用できる情報表示装置を得ることができる。
【００５６】
実施の形態３．
図１０は、この発明の実施の形態３である情報表示装置の概略構成図で、図１と同一または相当部分には同一符号を付してその説明を省略する。
【００５７】
図１０において、１１４は表示変換テーブル記憶手段で、キーボード入力情報付加手段１０２で付加されたキーボード１０１を特定する情報とブラウザ画面処理手段１０６が出力する表示信号１００Ａの変換を制御する情報を対応づける表示変換テーブルを記憶している。１１５は表示信号変換手段で、キーボード入力情報付加手段１０２より出力される信号１０２Ａを入力するとともに、信号１０２Ａより得られるキーボード１０１を特定するための情報と、表示変換テーブル記憶手段１１４に記憶されている表示変換テーブルにもとづき、ブラウザ画面処理手段１０６から出力される表示信号１００Ａを変換した表示変換信号１１５Ａを出力する。１０８は表示信号変換手段１１５より出力される表示変換信号１１５Ａを入力し画面表示をするモニタやテレビ等の画面表示装置である。
【００５８】
次に、図１１および図１２をもとに具体的処理の流れを説明する。
図１１（ａ）はＷＷＷサーバー１１０上にあるホームページを表示したものであり、図２と同様に、画面の上部は状態表示領域１２１、画面の下部は主表示領域１２２である。主表示領域１２２の画面内容は、ＨＴＭＬにより記述されており、ＷＷＷブラウザ機能により画面上に表示されている。
【００５９】
また、図１２は表示変換テーブル記憶手段１１４内にある表示変換テーブルで、キーボード入力情報付加手段１０２で付加されるキーボードを特定する情報と、表示信号変換手段１１５で入力される表示信号１００Ａと出力される表示変換信号１１５Ａの入出力関係とを対応づけられている。
【００６０】
この実施の形態３は、上記実施の形態１と同様に、キーボードからデータを入力すると、キーボード入力情報付加手段１０２は入力装置を特定する情報を含んだ信号１０２Ａを出力し、表示信号変換手段１１５は、この信号１０２Ａより入力装置を特定する情報として１６進数“Ｆ５”を得る。表示信号変換手段１１５は、この入力装置を特定する情報“Ｆ５”と表示変換テーブル記憶手段１１４に含まれる表示変換テーブル（図１２）をもとに、表示信号１００Ａを“１倍表示”するよう変換して表示変換信号１１５Ａを出力し、画像表示装置１０８上に図１１（ａ）に示すような画面を表示する。
【００６１】
次に、図１３に示すように、キーボード１０１を日本語キーボード１１１に、キーボード入力情報処理手段１０２を日本語キーボード入力情報処理手段１１２に切り替えた場合、日本語キーボード入力情報付加手段１１２で付加される情報は１６進数“Ｅ５”になるので、これによって表示信号変換手段１１５は、図１２に示す表示変換テーブルにもとづき、ブラウザ画面処理手段１０６より出力される表示信号１００Ａを“１．５倍拡大表示”するよう変換し、表示変換信号１１５Ａ出力し、画面表示装置１０８上に図１１（ｂ）に示すような、テキストや画像が拡大された画面を表示する。
【００６２】
このように、利用者が入力装置を選択し入力することによって、自動的に利用者に適した画面表示を行う情報表示装置を得ることができる。
【００６３】
実施の形態４．
上記図７に示した実施の形態２では、表示制御テーブル変更手段１１３によって、表示制御テーブル記憶手段１０３０に記憶されている表示制御テーブルを変更したが、この実施の形態４では、同様な手法により、図１０に示した表示変換テーブル変更手段１１６によって、表示変換テーブル記憶手段１１４に記憶されている表示変換テーブルを変更する。
【００６４】
次に、図１４および図１５をもとに具体的な処理の流れを説明する。
図１４は、利用者によって画面表示サイズを変更する要求があった場合に、画像表示装置１０８に表示される画面を示したもので、図２と同一または相当部分には同一符号を付してその説明を省略する。
【００６５】
図１４において、主表示領域１２２の丸いボタン１５１ａ，１５１ｂ，１５１ｃ，１５１ｄはラジオボタンと呼ばれるものであり、利用者はこのラジオボタンをクリックすることで、項目を選択できる。また、“確定”ボタン１５２をクリックすると、ラジオボタン１５１ａ，１５１ｂ，１５１ｃ，１５１ｄのうちどれかひとつ選択された画面表示サイズになるように設定され、“初期設定”ボタン１５３をクリックすると、初期設定時の画面表示サイズになるよう設定され、“キャンセル”ボタン１５４をクリックすると、画面表示サイズ設定を止めることができる。
【００６６】
利用者が１５１ｄのラジオボタンをクリックし、“確定”ボタン１５２をクリックした場合、ブラウザ処理手段１０４は、表示変換テーブル変更手段１１６に入力装置を特定する情報が１６進数の“Ｆ５”である入力装置の画面表示サイズが“２倍拡大表示”に変更されたことを通達する。表示変換テーブル変更手段１１６は、その情報をもとに図１２に示す表示変換テーブルを次の手順で変更する。
【００６７】
まず、表示変換テーブルの入力装置を特定する情報が１６進数“Ｆ５”の入力装置の処理項目をコピーし、新たに表示変換テーブルの入力装置を特定する情報が１６進数“Ｆ５”の入力装置の処理項目を作成する（図１５の１５６列）。そしてコピー元は使用不可とするため、１６進数の“Ｆ５”の後ろに＊をつける（図１５の１５５列）。さらに表示変換テーブル変更手段１１６は、ブラウザ処理手段１０４からの情報により、表示信号変換手段１１５で入力される表示信号１００Ａと出力される表示変換信号１１５Ａの入出力関係を“２倍拡大表示”に変更し、新しい表示変換テーブルを完成させる。これ以降、表示信号変換手段１１５は図１５に示した新しい表示変換テーブルをもとに処理を行う。
【００６８】
また、図１４の画面表示サイズ設定画面において、利用者が“初期設定”ボタン１５３をクリックした場合には、表示変換テーブル変更手段１１６は、図１５の表示変換テーブルの１５６の列を削除し、１５５の列の“Ｆ５＊”を“Ｆ５”に変更してキー設定を初期状態に戻す。
【００６９】
このように、表示変換テーブル変更手段１１６を設けることによって利用者が入力装置に対応した画面表示サイズの設定を自由に行うことができ、より利用者に適した使用法が得られる情報表示装置を実現できる。
【００７０】
実施の形態５．
図１６は、この発明の実施の形態５である情報表示装置の概略構成図で、図７と同一符号はそれぞれ同一または相当部分を示している。
上記実施の形態１では、入力装置を取り替えた場合を示したが、この実施の形態５では、図１６に示すように、キーボード１０１と、ブラウザの基本的な操作をすることが可能なリモートコントローラ１６１と、それぞれキーボード入力情報付加手段１０２、リモートコントローラ入力情報付加手段１６２と、更に、表示制御信号生成手段１０３は、キーボード入力情報付加手段１０２およびリモートコントローラ入力情報付加手段１６２からの信号を入力し、表示制御テーブル記憶手段１０３０に記憶されている表示制御テーブルにもとづき、ブラウザ制御手段１０４に情報を送信するように構成することもできる。
図１７は、表示制御テーブル記憶手段１０３０に記憶されている表示制御テーブルである。
【００７１】
次に、この場合の動作を説明する。
利用者がキーボード１０１で“下へスクロールする”を意味する“↓”ボタンを押すと、キーボード入力情報付加手段１０２を経て、入力処理手段１０３に１６進数のデータ“Ｆ５５１”が入力される。
【００７２】
表示制御信号生成手段１０３では、１６進数“Ｆ５５１”の情報から、図１７の表示制御テーブルを用いて“下へスクロール”するようにブラウザ制御手段１０４へ通達する。また、利用者がリモートコントローラ１６１で“下へスクロールする”を意味する“↓”ボタンを押すと、リモートコントローラ入力情報付加手段１６２を経て、表示制御信号生成手段１０３に１６進数のデータ“４３７１”が入力される。表示制御信号生成手段１０３では、１６進数“４３７１”の情報から、図１７の表示制御テーブルを用いて、“下へスクロール”するようにブラウザ制御手段１０４へ通達する。
【００７３】
このように、利用者が入力する情報が同じであって、入力手段が異なるために、表示制御信号生成手段１０３に入力されるデータが異なっていても、ブラウザ制御手段１０４へ通達される情報は同じになるように、図１７の表示制御テーブルを用いて変換するので、ブラウザ制御手段１０４へ通達される情報の種類を統一化することができ、ＷＷＷブラウザ表示処理手段１００が行う情報表示処理の負荷を増加させることなく、目的に適した入力装置を多く接続可能な情報表示装置を得ることができる。
【００７４】
実施の形態６．
上記実施の形態２では、利用者がキーボード１０１を用いてキーボードのキーに割り当てた機能を変更する例を示したが、同様に、図１６のようにキーボード１０１とリモートコントローラ１６１を接続した装置で、表示制御テーブル変更手段１１３を用いることにより、例えば利用者はキーボード１０１を用いて、リモートコントローラ１６１のキーに割り当てた機能を変更することが可能になり、操作性の悪い入力装置の設定を、操作性の良い入力装置で行うことができる情報表示装置を得ることができる。
【００７５】
実施の形態７．
図１８は、この発明の実施の形態７である情報表示装置の概略構成図で、図１と同一または相当部分には同一符号を付してその説明を省略する。
図１８において、１８１はキーボード入力情報付加手段１０２で付加されるキーボード１０１を特定する情報を利用者が変更できるようにした付加情報変更手段である。
【００７６】
上記実施の形態１では、キーボード１０１を特定する情報は１６進数“Ｆ５”であり、日本語キーボード１１１を特定する情報は１６進数“Ｅ５”であったが、利用者がキーボード１０１を使用しているときに、付加情報変更手段１８１にて、キーボード１０１を特定する情報を１６進数“Ｆ５”から１６進数“Ｅ５”に変更することで、キーボード入力情報付加手段１０２は、キーボード１０１を特定する情報を１６進数“Ｅ５”にして表示制御信号生成手段１０３へ送信する。このため、利用者はキーボード１０１を用いて、日本語キーボード１１１と同様の扱いができる。
【００７７】
このように構成することによって、少ない操作キーでも多くの種類の情報を入力することが可能となる情報表示装置を得ることができる。
【００７８】
実施の形態８．
図１９は、この発明の実施の形態８である情報表示装置の概略構成図で、図１６と同一または相当部分には同一符号を付してその説明を省略する。
図１９において、１９１はキーボード入力情報付加手段１０２から出力された情報に優先情報を付加するキーボード優先情報付加手段であり、１９３はキーボード優先情報付加手段１９１で付加される優先情報を変更するキーボード優先情報変更手段である。
【００７９】
また、１９２はリモートコントローラ入力情報付加手段１６２から出力された情報に優先情報を付加するリモートコントローラ優先情報付加手段であり、１９４はリモートコントローラ優先情報付加手段１９２で付加される優先情報を変更するリモートコントローラ優先情報変更手段である。
【００８０】
１９５は優先処理手段で、キーボード優先情報付加手段１９１およびリモートコントローラ優先情報付加手段１９２から信号を同時に入力した場合、付加されている優先情報をもとに処理順番を決定し、優先情報を削除したキーボード優先情報付加手段１９１からの信号および同じく優先情報を削除したリモートコントローラ優先情報付加手段１９２からの信号を、決定した処理順に出力する。また、優先処理手段１９５は、入力されるキーボード優先情報付加手段１９１およびリモートコントローラ優先情報付加手段１９２からの信号が同時でない場合、優先情報を削除したキーボード優先情報付加手段１９１からの信号および同じく優先情報を削除したリモートコントローラ優先情報付加手段１９２からの信号を、順次、表示制御信号生成手段１０３に出力する。表示制御信号生成手段１０３は、上記実施の形態５における処理と同様の処理を行う。
【００８１】
次に、具体的な動作を説明する。
利用者がキーボードで“ａ”キーを押すのと同時に、リモートコントローラで“下へスクロールする“を意味する“↓”キーを押したとする。このとき、キーボード入力情報付加手段１０２は１６進数“Ｆ５１Ｃ”を出力し、キーボード優先情報付加手段１９１は、１６進数“Ｆ５１Ｃ”の先頭に優先情報である１６進数“００”を付加し１６進数“００Ｆ５１Ｃ”として入力処理手段１０３に送信する。また、リモートコントローラ入力情報付加手段１６２は１６進数“４３７１”を出力し、リモートコントローラ優先情報付加手段１９２は、１６進数“４３７１”の先頭に優先情報である１６進数“０１”を付加し１６進数“０１４３７１”として入力処理手段１０３に送信する。
【００８２】
優先処理手段１９５は、キーボード優先情報付加手段１９１から入力された１６進数“００Ｆ５１Ｃ”を“００”と“Ｆ５１Ｃ”に分解し、リモートコントローラ優先情報付加手段１９２から入力された１６進数“０１４３７１”を、“０１”と“４３７１”に分解する。そして、優先情報である“００”と“０１”を比較し、優先順位の高い“００”がついている方の情報を先に出力する。すなわち、“Ｆ５１Ｃ”を入力処理手段１０３に送信し、次に“４３７１”を入力処理手段１０３に送信する。入力処理手段１０３は、上記実施の形態１または５と同じ方法で処理し、ブラウザ制御手段１０４へ情報を送信する。
【００８３】
また、キーボード優先情報変更手段１９３は、キーボード優先情報付加手段１９１で付加する１６進数“００”という情報を変更することによって、キーボード１０１で入力した情報の処理優先度を変更できる。リモートコントローラ優先情報変更手段１９４も同様である。
【００８４】
このように、複数の入力装置が接続されて、同時に入力が行われても、処理の手順を明確に定義できるために情報の同時入力による誤作動をなくすことができ、また、利用者が設定を変更できるので、利用者の使用方法に適した情報表示装置を実現できる。
【００８５】
【発明の効果】
この発明は以上説明したように構成されるので、以下に示すような効果を奏する。
【００８６】
入力装置から入力される情報に、入力装置を特定する情報が含まれているため、個々の入力装置に対応した処理を行うことが可能になり、利用者は自らの操作レベルに最適の入力装置を用いて操作することができる。
【００８７】
また、個々の入力装置に対応した処理を利用者が変更できる手段を有しているため、より利用者の操作レベルに適応した入力装置を用いて操作することができる。
【００８８】
また、入力装置を特定できる情報があるため、その情報から表示レイアウトを決めることができ、入力装置と表示レイアウトを連動することができる。
【００８９】
また、個々の入力装置に対応した表示レイアウトを利用者が変更できる手段を有しているため、利用者に適した入力装置を使用し、かつ好みに応じた表示レイアウトにすることができる。
【００９０】
また、入力情報を整理する手段を有するため、複数の入力装置が接続されても、情報表示処理の負荷を増加させることがない。
【００９１】
また、複数の入力装置を接続した際、ある入力装置から、別の入力装置の操作性を変更できる手段を有しているため、操作性の悪い入力装置の設定を操作性の良い入力装置で設定できる。
【００９２】
また、入力装置を特定する情報を変更する手段を有するため、少ない操作キーの入力装置でも多くの種類の情報を入力することができる。
【００９３】
また、複数の入力装置から同時に入力された場合の処理手順を明確に定義できるため、誤作動を防止することができ、動作を安定させることができる。
【００９４】
さらにまた、複数の入力装置から同時に入力された場合の処理手順を利用者が変更できるため、利用者が自らの使用方法に適した設定をすることができ、使用方法の自由度をあげることができる。
【図面の簡単な説明】
【図１】  この発明の実施の形態１の概略構成図である。
【図２】  実施の形態１の情報表示画面を示す図である。
【図３】  実施の形態１の第１の信号を示す図である。
【図４】  実施の形態１の第２の信号を示す図である。
【図５】  この発明の実施の形態１および２の入力処理手段で使用されるテーブルを示す図である。
【図６】  実施の形態１の他の動作時の構成図である。
【図７】  この発明の実施の形態２の概略構成図である。
【図８】  実施の形態２の情報表示画面を示す図である。
【図９】  実施の形態２の入力処理手段で使用されるテーブルを示す図である。
【図１０】  この発明の実施の形態３および４の概略構成図である。
【図１１】  実施の形態３の情報表示画面を示す図である。
【図１２】  実施の形態３および４のパラメータ生成手段で使用されるテーブルを示す図である。
【図１３】  この発明の実施の形態３の概略構成図である。
【図１４】  この発明の実施の形態４の情報表示画面を示す図である。
【図１５】  実施の形態４のパラメータ生成手段で使用されるテーブルを示す図である。
【図１６】  この発明の実施の形態５および６の概略構成図である。
【図１７】  実施の形態５の入力処理手段で使用されるテーブルを示す図である。
【図１８】  この発明の実施の形態７の概略構成図である。
【図１９】  この発明の実施の形態８の概略構成図である。
【符号の説明】
１００  ＷＷＷブラウザ表示処理手段、１０１  キーボード、１０２  キーボード入力情報付加手段、１０３  表示制御信号生成手段、１０４ブラウザ制御手段、１０５  ブラウザデータ処理手段、１０６  ブラウザ画面処理手段、１０７  データ通信手段、１０８  画像表示装置、１０９  インターネット網、１１０  ＷＷＷサーバ、１１１  日本語キーボード、１１２  日本語キーボード入力情報付加手段、１１３  表示制御テーブル変更手段、１１４  表示変換テーブル記憶手段、１１５  表示信号変換手段、１１６  表示変換テーブル変更手段、  １６１  リモートコントローラ、１６２  リモートコントローラ入力情報付加手段、１９１  キーボード優先情報付加手段、１９２  リモートコントローラ優先情報付加手段、１９３  キーボード優先情報変更手段、１９４  リモートコントローラ優先情報変更手段、１９５  優先処理手段、１０３０  表示制御テーブル記憶手段。
【図１】
0003926047.tif 000002
【図２】
0003926047.tif 000003
【図３】
0003926047.tif 000004
【図４】
0003926047.tif 000005
【図５】
0003926047.tif 000006
【図６】
0003926047.tif 000007
【図７】
0003926047.tif 000008
【図８】
0003926047.tif 000009
【図９】
0003926047.tif 000010
【図１０】
0003926047.tif 000011
【図１１】
0003926047.tif 000012
【図１２】
0003926047.tif 000013
【図１３】
0003926047.tif 000014
【図１４】
0003926047.tif 000015
【図１５】
0003926047.tif 000016
【図１６】
0003926047.tif 000017
【図１７】
0003926047.tif 000018
【図１８】
0003926047.tif 000019
【図１９】
0003926047.tif 000020